(57)【特許請求の範囲】
【請求項１】
展示物を配置する展示領域及び遮光壁を備え、前記遮光壁が、前記展示物の左方と右方と上方とをそれぞれ覆って遮光可能な左遮光部と右遮光部と上遮光部とを含み、前記展示領域の前方側を開放した、展示ケースと、
前記展示領域を上方から照明する第１照明部材と、
前記展示領域の後方に配置されたハーフミラー部材と、
前記ハーフミラー部材の後方に配置され、前方側を照明する第２照明部材と、
前記第１照明部材及び前記第２照明部材それぞれの点灯及び消灯を自動制御可能な第１制御部と、
夕方に対応する所望のモード切替時間を設定する設定部と、
を有し、
前記第１制御部は、
前記第１照明部材を点灯し前記第２照明部材を消灯する、前記展示物の外観と背面とを楽しむための第１モードと、前記第１照明部材を消灯し前記第２照明部材を点灯する、前記展示物の輪郭を影絵として楽しむための第２モードと、
を備えるとともに、
前記夕方に対応するモード切替時間より前は前記第１モードに切り替えるとともに前記夕方に対応するモード切替時間より後は前記第２モードに切り替える
ことを特徴とする展示装置。
【請求項２】
展示物を配置する展示領域及び遮光壁を備え、前記遮光壁が、前記展示物の左方と右方と上方とをそれぞれ覆って遮光可能な左遮光部と右遮光部と上遮光部とを含み、前記展示領域の前方側を開放した、展示ケースと、
前記展示領域を上方から照明する第１照明部材と、
前記展示領域の後方に配置されたハーフミラー部材と、
前記ハーフミラー部材の後方に配置され、光量可変に構成されて前方側を照明する第２照明部材と、
前記第１照明部材及び前記第２照明部材それぞれの点灯及び消灯を自動制御可能な第１制御部と、
前記第２照明部材の光量を自動制御可能な第２制御部と、
夕方に対応する所望の光量切替時間を設定する設定部と、
を有し、
前記第１制御部は、
前記第１照明部材を点灯し前記第２照明部材を消灯する、前記展示物の外観と背面とを楽しむための第１モードと、前記第１照明部材を消灯し前記第２照明部材を点灯する、前記展示物の輪郭を影絵として楽しむための第２モードと、
を備え、
前記第２制御部は、
前記夕方に対応する光量切替時間より前に比べ、前記夕方に対応する光量切替時間より後は前記第２照明部材の光量が増大するように、当該第２照明部材を制御する
ことを特徴とする展示装置。
【請求項３】
請求項１又は請求項２記載の展示装置において、
前記ハーフミラー部材の後方側でかつ前記第２照明部材の前方側に、背景図像が形成された透過部材をさらに有する
ことを特徴とする展示装置。
【請求項４】
請求項１乃至請求項３のいずれか１項記載の展示装置において、
前記第１照明部材及び前記第２照明部材それぞれの点灯及び消灯を個別に操作可能な照明操作部をさらに有する
ことを特徴とする展示装置。
【請求項５】
請求項１乃至請求項４のいずれか１項記載の展示装置において、
前記第１制御部は、
前記第１モードと前記第２モードとを所定周期で繰り返す
ことを特徴とする展示装置。
【請求項６】
請求項１記載の展示装置において、
前記第２照明部材は、光量可変に構成されており、
かつ、前記第２照明部材の光量を自動制御可能な第２制御部を設けた
ことを特徴とする展示装置。
【請求項７】
請求項６記載の展示装置において、
前記第２制御部は、
所定周期で前記第２照明部材の光量の増減を繰り返す
ことを特徴とする展示装置。
【発明の詳細な説明】
【技術分野】
【０００１】
本発明は、展示領域に配置された展示物を照明する照明部材を備えた展示装置に関する。
【背景技術】
【０００２】
従来からこの種の展示装置においては、特許文献１記載のように、展示領域を上方から照明する照明装置（照明部材）を備えているものがある（例えば、特許文献１参照）。
【先行技術文献】
【特許文献】
【０００３】
【特許文献１】特開２０１６−６６４９２号公報
【発明の概要】
【発明が解決しようとする課題】
【０００４】
しかし、上記従来の展示装置において、展示物に対し、前方側を暗くしつつ後方側を明るくして影絵を楽しむという技術は存在しなかった。
【０００５】
本発明の目的は、展示物に対し、前方側を暗くしつつ後方側を明るくして影絵を楽しむことができる展示装置を提供することにある。
【課題を解決するための手段】
【０００６】
上記目的を達成するために、本願発明の展示装置は、展示物を配置する展示領域及び遮光壁を備え、前記遮光壁が、前記展示物の左方と右方と上方とをそれぞれ覆って遮光可能な左遮光部と右遮光部と上遮光部とを含み、前記展示領域の前方側を開放した、展示ケースと、前記展示領域を上方から照明する第１照明部材と、前記展示領域の後方に配置されたハーフミラー部材と、前記ハーフミラー部材の後方に配置され、前方側を照明する第２照明部材と、前記第１照明部材及び前記第２照明部材それぞれの点灯及び消灯を自動制御可能な第１制御部と、夕方に対応する所望のモード切替時間を設定する設定部と、を有し、前記第１制御部は、前記第１照明部材を点灯し前記第２照明部材を消灯する、前記展示物の外観と背面とを楽しむための第１モードと、前記第１照明部材を消灯し前記第２照明部材を点灯する、前記展示物の輪郭を影絵として楽しむための第２モードと、を備えるとともに、前記夕方に対応するモード切替時間より前は前記第１モードに切り替えるとともに前記夕方に対応するモード切替時間より後は前記第２モードに切り替えることを特徴とする。
また上記目的を達成するために、本願発明の展示装置は、展示物を配置する展示領域及び遮光壁を備え、前記遮光壁が、前記展示物の左方と右方と上方とをそれぞれ覆って遮光可能な左遮光部と右遮光部と上遮光部とを含み、前記展示領域の前方側を開放した、展示ケースと、前記展示領域を上方から照明する第１照明部材と、前記展示領域の後方に配置されたハーフミラー部材と、前記ハーフミラー部材の後方に配置され、光量可変に構成されて前方側を照明する第２照明部材と、前記第１照明部材及び前記第２照明部材それぞれの点灯及び消灯を自動制御可能な第１制御部と、前記第２照明部材の光量を自動制御可能な第２制御部と、夕方に対応する所望の光量切替時間を設定する設定部と、を有し、前記第１制御部は、前記第１照明部材を点灯し前記第２照明部材を消灯する、前記展示物の外観と背面とを楽しむための第１モードと、前記第１照明部材を消灯し前記第２照明部材を点灯する、前記展示物の輪郭を影絵として楽しむための第２モードと、を備え、前記第２制御部は、前記夕方に対応する光量切替時間より前に比べ、前記夕方に対応する光量切替時間より後は前記第２照明部材の光量が増大するように、当該第２照明部材を制御することを特徴とする。
【０００７】
本願発明の展示装置では、第１照明部材だけを点灯させると、通常の展示装置として機能させることができる。すなわち、展示領域を上方から照明することで展示領域に配置された展示物の外観を楽しむことができる。その際、ハーフミラー部材の鏡面機能により展示物の背面も見ることができる。
【０００８】
しかも、本願発明の展示装置では、第２照明部材だけを点灯させると、ハーフミラー部材の透過機能により第２照明部材が展示物の後方側を明るくするため、展示物の輪郭だけを影絵のように楽しむことができる。
【０００９】
このように、本願発明の展示装置では、展示物の外観と背面を楽しむ通常の態様での展示と、輪郭を影絵として楽しむ態様での展示と、の両方を行うことができ、興趣を向上することができる。特に、人形（フィギュア）、自動車模型、艦船模型、戦車模型等、輪郭に特徴があるものに対して有効である。
【発明の効果】
【００１０】
本発明によれば、展示物に対し、前方側を暗くしつつ後方側を明るくして影絵を楽しむことができる展示装置を提供することができる。
【図面の簡単な説明】
【００１１】
【図１】本発明の一実施形態による展示装置に展示物を配置した状態を表す斜視図（前方照明だけを点灯している状態）である。
【図２】本発明の一実施形態による展示装置に展示物を配置した状態を表す正面図（前方照明だけを点灯している状態）である。
【図３】本発明の一実施形態による展示装置を表す分解斜視図である。
【図４】本発明の一実施形態による展示装置に展示物を配置した状態を表す正面図（バックライトだけを点灯している状態）である。
【図５】本発明の一実施形態による展示装置における照明コントローラの機能的構成図である。
【図６】変形例１による展示装置における照明コントローラの機能的構成図である。
【図７】変形例２による展示装置における照明コントローラの機能的構成図である。
【図８】変形例３の展示装置における照明コントローラの機能的構成図である。
【図９】変形例４の展示装置における照明コントローラの機能的構成図である。
【図１０】他の変形例の展示装置を表す斜視図である。
【図１１】他の変形例の展示装置に展示物を配置した状態を表す正面図（バックライトだけを点灯している状態）である。
【発明を実施するための形態】
【００１２】
以下、本発明の一実施形態を、図面を参照して説明する。
【００１３】
＜構成＞
本実施形態による展示装置１及び展示装置１に展示物２を配置した状態を説明する図を図１〜図４に示す。また、本実施形態による展示装置１における照明コントローラ７０の機能的構成を説明する図を図５に示す。なお、以下の説明において、上下方向、前後方向（正面側、背面側）及び左右方向は、ディスプレイケース１０（展示ケースに相当）の前窓部１５を前面とした場合における上下方向（上側、底側）、前後方向（正面側、背面側）及び左右方向に相当しており、図１〜図４の各図中に適宜示される矢印の方向に対応している。
【００１４】
本実施形態による展示装置１は、ディスプレイケース１０と、前方照明６０（第１照明部材に相当）と、マジックミラー２０（ハーフミラー部材に相当）と、バックライト４０（第２照明部材に相当）と、を有している。
【００１５】
ディスプレイケース１０は、前部及び後部が開口した略箱状の部材である。具体的には、ディスプレイケース１０は、底壁部１１（展示領域に相当）と、左壁部１２（遮光壁あるいは左遮光部に相当）と、右壁部１３（遮光壁あるいは右遮光部に相当）と、上壁部１４（遮光壁あるいは上遮光部に相当）と、を有している。底壁部１１は、展示物２が置かれる底面領域（展示領域）となる板状の部分であり、展示物の下方を覆って遮光可能な遮光壁をなしている。左壁部１２は、底壁部１１の左端部から上方に延びる板状の部分であり、展示物２の左方を覆って遮光可能な遮光壁をなしている。右壁部１３は、底壁部１１の右端部から上方に延びる板状の部分であり、展示物２の右方を覆って遮光可能な遮光壁をなしている。上壁部１４は、左壁部１２の上端部と右壁部１３の上端部とを結ぶように横方に延びる板状の部分であり、展示物２の上方を覆って遮光可能な遮光壁をなしている。また、ディスプレイケース１０の前部の開口（前窓部１５）には、前方から展示物２を視認可能な透明な板状部材が展示物２を前方から覆うように取り付けられている。なお、必ずしも透明な部材を前窓部１５に取り付けておく必要はなく、前窓部１５が開放されたままであっても良い。ディスプレイケース１０の後部の開口（後窓部１６）には、展示物２の後方にマジックミラー２０が取り付けられている。
【００１６】
前方照明６０は、底壁部１１を上方から照明する機器である。前方照明６０は、上壁部１４に取り付けられている。
【００１７】
マジックミラー２０は、底壁部１１の後方に配置された板状の部材である。具体的には、マジックミラー２０は、展示物２の後方を覆うように後窓部１６に取り付けられている。マジックミラー２０は、明るい側から見ると鏡に見える鏡面機能を有し、暗い側から見ると向こう側が透過して見える透過機能を有する板状の部材である。
【００１８】
バックライト４０は、マジックミラー２０の後方に配置され、前方側を照明する機器である。バックライト４０は、光源と光拡散板とを有する板形状をなしている。バックライト４０は、マジックミラー２０の後面を覆うようにディスプレイケース１０の後部に取り付けられている。
【００１９】
また、マジックミラー２０の後方側でかつバックライト４０の前方側には、透明フィルム３０が配置されている。透明フィルム３０は、背景図像３１（ここでは、太陽、雲及び木の絵）が形成された透明なフィルム状の部材である。なお、背景画像３１としては、太陽、雲及び木の絵に限られるものではなく、画像、テキスト、アイコン等のシンボルなど背景となるすべての物が含まれる。
【００２０】
また、バックライト２０の側面（ここでは、左側面の上部）には、前方照明６０及びバックライト４０の点灯及び消灯の操作を行うための照明コントローラ７０が設けられている。照明コントローラ７０には、前方照明６０及びバックライト４０それぞれの点灯及び消灯を個別に操作可能な前方照明ＯＮ・ＯＦＦスイッチ７１（照明操作部に相当）及びバックライトＯＮ・ＯＦＦスイッチ７２（照明操作部に相当）が設けられている。なお、照明コントローラ７０を設ける位置は、バックライト２０の側面に限られるものではなく、ディスプレイケース１０に設けられていても良いし、遠隔操作を行う場合にはリモートコントローラに設けられていても良い。
【００２１】
また、バックライト２０の側面（ここでは、左側面の下部）には、前方照明６０及びバックライト４０への給電のための電源５が接続されている。ここでは、電源５として交流電源を採用している。なお、電源５は、交流電源に限られるものではなく、乾電池や充電池等の別の電源であっても良い。
【００２２】
＜動作＞
本実施形態の展示装置１では、照明コントローラ７０の操作によって、２つの展示態様を楽しむことができるようになっている。
【００２３】
１つ目の展示態様は、前方照明６０を点灯しバックライト４０を消灯する態様（第１モード）である（図１及び図２参照）。この第１モードへの切り替えは、前方照明ＯＮ・ＯＦＦスイッチ７１をＯＮにし、かつ、バックライトＯＮ・ＯＦＦスイッチ７２をＯＦＦにすることによって行われる。これにより、展示装置１を通常の展示装置として機能させることができる。すなわち、底壁部１１を上方から照明することで底壁部１１に配置された展示物２の外観を楽しむことができる。その際、マジックミラー２０の鏡面機能により展示物２の背面も見ることができる。
【００２４】
２つ目の展示態様は、前方照明６０を消灯しバックライト４０を点灯する態様（第２モード）である（図４参照）。この第２モードへの切り替えは、前方照明ＯＮ・ＯＦＦスイッチ７１をＯＦＦにし、かつ、バックライトＯＮ・ＯＦＦスイッチ７２をＯＮにすることによって行われる。これにより、展示装置１をマジックミラー２０の透過機能によってバックライト４０が展示物２の後方側を明るくすることで展示物２の輪郭だけを影絵のように楽しむことができる。しかも、このとき、透明フィルム３０に形成された背景図像３１も見えるため、展示物２の影絵に背景を追加することができる。
【００２５】
＜実施形態の効果＞
以上説明したように、本実施形態の展示ケース１は、展示物２を配置する底壁部１１及び壁部１２，１３，１４を備えたディスプレイケース１０と、底壁部１１を上方から照明する前方照明６０と、底壁部１１の後方に配置されたマジックミラー２０と、マジックミラー２０の後方に配置され、前方側を照明するバックライト４０と、を有している。
【００２６】
このような構成を有する本実施形態の展示装置１では、前方照明６０だけを点灯させると、通常の展示装置として機能する。すなわち、底壁部１１を上方から照明することで底壁部１１に配置された展示物２の外観を楽しむことができる（図１及び図２参照）。その際、マジックミラー２０の鏡面機能により展示物２の背面も見ることができる（図１参照）。
【００２７】
しかも、本実施形態の展示装置１では、バックライト４０だけを点灯させると、マジックミラー２０の透過機能によりバックライト４０が展示物２の後方側を明るくするため、展示物２の輪郭だけを影絵のように楽しむことができる（図４参照）。
【００２８】
このように、本実施形態の展示装置１では、展示物２の外観と背面を楽しむ通常の態様での展示と、輪郭を影絵として楽しむ態様での展示と、の両方を行うことができ、興趣を向上することができる。特に、人形（フィギュア）、自動車模型、艦船模型、戦車模型等、輪郭に特徴があるものに対して有効である。
【００２９】
また、本実施形態では特に、マジックミラー２０の後方側でかつバックライト４０の前方側に、背景図像３１が形成された透明フィルム３０をさらに有している。このため、バックライト４０を点灯して影絵を楽しむとき、影絵に背景を追加することができる（図４参照）。
【００３０】
また、本実施形態では特に、前方照明６０及びバックライト４０それぞれの点灯及び消灯を個別に操作可能な前方照明ＯＮ・ＯＦＦスイッチ７１及びバックライトＯＮ・ＯＦＦスイッチ７２をさらに有している。このため、ユーザーの手動操作によって、通常の態様での展示と影絵として楽しむ態様での展示のどちらの手法で楽しむかを選択することができる。
【００３１】
＜変形例１＞
上記実施形態の展示装置１においては、手動操作によって第１モードと第２モードを切り替えるようにしているが、第１モードと第２モードを自動的に切り替えるようにしても良い。
【００３２】
本変形例では、第１モードと第２モードを自動的に切り替え可能にするために、図６に示すように、照明コントローラ７０に前方照明６０及びバックライト４０それぞれの点灯及び消灯を自動制御可能なモード切替部７４（第１制御部）を設けている。また、ここでは、例えば時間帯によって第１モードと第２モードを自動切り替えするために、ユーザーからモード切り替えを行う時間（モード切替時間）の入力を受け付けて設定されたモード切替時間をモード切替部７４に指示するモード切替時間設定部７３が照明コントローラ７０に設けられている。なお、照明コントローラ７０のモード切替時間設定部７３及びモード切替部７４は、詳細な図示を省略するが、各種のデータやプログラムを記憶する記憶部と、演算・制御処理を行う制御部と、によって実行される機能的構成である。
【００３３】
本変形例１では、ユーザーからの入力によってモード切替時間設定部７３で設定されたモード切替時間にしたがって、第１モードと第２モードの切り替えを自動的行うことができる。例えば、夕方以前は第１モードにしておき、夕方以降は第２モードにするなどのモードの切り替えを行うことができる。
【００３４】
また、図６では、照明コントローラ７０がモード切替時間設定部７３及びモード切替部７４だけを有するものとなっているが、これに限定されるものではない。例えば、上記実施形態の手動操作のための前方照明ＯＮ・ＯＦＦスイッチ７１及びバックライトＯＮ・ＯＦＦスイッチ７２も合わせて有するようにしておき、自動切り替えと手動切り替えとを選択できるように構成しても良い。
【００３５】
＜変形例２＞
上記変形例１の展示装置１においては、時間帯によって第１モードと第２モードを自動切り替えするために、照明コントローラ７０にモード切替部７４とともに、モード切替時間を設定するモード切替時間設定部７３を設けているが、これに限定されるものではなく、第１モードと第２モードを所定周期で切り替えるようにしても良い。
【００３６】
本変形例では、第１モードと第２モードを所定周期で切り替え可能にするために、図７に示すように、照明コントローラ７０にモード切替部７４（第１制御部）とともに、ユーザーからモード切り替えを行う周期（モード切替周期）の入力を受け付けて設定されたモード切替周期をモード切替部７４に指示するモード切替周期設定部７５が設けられている。なお、照明コントローラ７０のモード切替周期設定部７５及びモード切替部７４は、詳細な図示を省略するが、各種のデータやプログラムを記憶する記憶部と、演算・制御処理を行う制御部と、によって実行される機能的構成である。
【００３７】
本変形例２では、ユーザーからの入力によってモード切替周期設定部７５で設定されたモード切替周期にしたがって、第１モードと第２モードの切り替えを自動的行うことができる。そして、通常の態様での展示、及び、影絵を楽しむ態様での展示、の切り替えを自動的に繰り返すことができ、これによって見る人を惹きつけるインパクトの強い展示を実現することができる。
【００３８】
また、図７では、照明コントローラ７０がモード切替周期設定部７５及びモード切替部７４だけを有するものとなっているが、これに限定されるものではない。例えば、上記実施形態の手動操作のための前方照明ＯＮ・ＯＦＦスイッチ７１及びバックライトＯＮ・ＯＦＦスイッチ７２も合わせて有するようにしておき、自動切り替えと手動切り替えとを選択できるように構成しても良い。さらに、上記変形例１のモード切替時間設定部７３も合わせて有するようにしておき、自動切り替えも選択できるように構成しても良い。
【００３９】
＜変形例３＞
上記実施形態及び変形例１，２の展示装置１においては、バックライト４０を点灯した際の光量が一定であるが、これに限定されるものではなく、バックライト４０を光量可変なものとし、バックライト４０を点灯した際の光量を自動制御できるようにしても良い。
【００４０】
本変形例では、図８に示すように、照明コントローラ７０に上記変形例１と同様のモード切替時間設定部７３及びモード切替部７４（第１制御部）を設けるとともに、バックライト４０の光量を自動制御可能な光量切替部７７（第２制御部）を設けている。また、ここでは、例えば時間帯によってバックライト４０の光量を自動変更するために、ユーザーから光量変更を行う時間（光量変更時間）の入力を受け付けて設定された光量変更時間を光量切替部７７に指示する光量変更時間設定部７６が照明コントローラ７０に設けられている。なお、照明コントローラ７０のモード切替時間設定部７３、モード切替部７４、光量変更時間設定部７６及び光量切替部７７は、詳細な図示を省略するが、各種のデータやプログラムを記憶する記憶部と、演算・制御処理を行う制御部と、によって実行される機能的構成である。
【００４１】
本変形例３では、ユーザーからの入力によって光量変更時間設定部７６で設定された光量変更時間にしたがって、バックライト４０の光量の増減を自動的に行うことができる。例えば、夕方以前は光量を減らしておき、夕方以降は光量を増やすなどのように、光量を適宜に可変に調整して楽しむことができる。
【００４２】
また、図８では、上記変形例１の制御構成に光量変更時間設定部７６及び光量切替部７７をさらに加えたものとなっているが、これに限定されるものではない。例えば、上記変形例２の制御構成に光量変更時間設定部７６及び光量切替部７７をさらに加えたものとしてもよいし、上記実施形態の手動操作構成に光量変更時間設定部７６及び光量切替部７７をさらに加えたものとしてもよい。
【００４３】
＜変形例４＞
上記変形例３の展示装置１においては、時間帯によってバックライト４０の光量を増減するために、照明コントローラ７０に光量切替部７７とともに、光量変更時間を設定する光量変更時間設定部７６を設けているが、これに限定されるものではなく、光量を所定周期で増減させるようにしても良い。
【００４４】
本変形例では、バックライト４０の光量を所定周期で増減可能にするために、図９に示すように、照明コントローラ７０に光量切替部７７（第２制御部）とともに、ユーザーから光量増減を行う周期（光量変更周期）の入力を受け付けて設定された光量変更周期を光量切替部７７に指示する光量変更周期設定部７８が設けられている。なお、照明コントローラ７０のモード切替時間設定部７３、モード切替部７４、光量変更周期設定部７８及び光量切替部７７は、詳細な図示を省略するが、各種のデータやプログラムを記憶する記憶部と、演算・制御処理を行う制御部と、によって実行される機能的構成である。
【００４５】
本変形例４では、ユーザーからの入力によって光量変更周期設定部７８で設定された光量変更周期にしたがって、バックライト４０の光量の増減を自動的に行うことができる。そして、影絵のバックライト４０の明暗切替を自動的に繰り返すことができるので、興味をひく印象的な展示を実現することができる。
【００４６】
また、図９では、上記変形例１の制御構成に光量変更周期設定部７８及び光量切替部７７をさらに加えたものとなっているが、これに限定されるものではない。例えば、上記変形例２の制御構成に光量変更周期設定部７８及び光量切替部７７をさらに加えたものとしてもよいし、上記実施形態の手動操作構成に光量変更周期設定部７８及び光量切替部７７をさらに加えたものとしてもよい。
【００４７】
＜他の変形例＞
なお、以上においては、１つの展示物２を展示するタイプの展示装置１を例にして本願発明を説明したが、これに限定されるものではない。例えば、図１０及び図１１に示すように、上下２段に分けて展示物２（ここでは、上段に自動車模型、下段に人形）を展示するタイプの展示装置１に本願発明を適用しても良い。なお、この場合には、ディスプレイケース１０を上下２段に分けるための棚板（壁部）が上段側の底壁部１１と下段側の上壁部１４とを兼ねることになる。この場合においても、上記実施形態や変形例と同様の作用効果を得ることができる。また、ここでは図示しないが、仕切板で左右２列に分けて展示物を展示するタイプの展示装置に本願発明を適用しても良い。
【００４８】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４９】
また、以上既に述べた以外にも、上記実施形態や各変形例による手法を適宜組み合わせて利用しても良い。
【００５０】
その他、一々例示はしないが、本発明は、その趣旨を逸脱しない範囲内において、種々の変更が加えられて実施されるものである。
【符号の説明】
【００５１】
１    展示装置
２    展示物
５    電源
１０  ディスプレイケース（展示ケース）
１１  底壁部（展示領域）
１２  左壁部（遮光壁、左遮光部）
１３  右壁部（遮光壁、右遮光部）
１４  上壁部（遮光壁、上遮光部）
１５  前窓部
１６  後窓部
２０  マジックミラー（ハーフミラー部材）
３０  透明フィルム（透過部材）
３１  背景画像
４０  バックライト（第２照明部材）
６０  前方照明（第１照明部材）
７０  照明コントローラ
７１  前方照明ＯＮ・ＯＦＦスイッチ（照明操作部）
７２  バックライトＯＮ・ＯＦＦスイッチ（照明操作部）
７３  モード切替時間設定部
７４  モード切替部（第１制御部）
７５  モード切替周期設定部
７６  光量変更時間設定部
７７  光量切替部（第２制御部）
７８  光量変更周期設定部
【要約】
【課題】展示物に対し、前方側を暗くしつつ後方側を明るくして影絵を楽しむことができるようにする。
【解決手段】展示装置１は、展示物２を配置する展示領域１１及び遮光壁１２を備え、遮光壁１２が、展示物２の左方と右方と上方とをそれぞれ覆って遮光可能な左遮光部１２ａと右遮光部１２ｂと上遮光部１２ｃとを含む、ディスプレイケース１０と、展示領域１１を上方から照明する前方照明６０と、展示領域１１の後方に配置されたマジックミラー２０と、マジックミラー２０の後方に配置され、前方側を照明するバックライト４０と、を有する。
【選択図】図３【図１】
0006951005.tif 000002
【図２】
0006951005.tif 000003
【図３】
0006951005.tif 000004
【図４】
0006951005.tif 000005
【図５】
0006951005.tif 000006
【図６】
0006951005.tif 000007
【図７】
0006951005.tif 000008
【図８】
0006951005.tif 000009
【図９】
0006951005.tif 000010
【図１０】
0006951005.tif 000011
【図１１】
0006951005.tif 000012